(57)【要約】      （修正有）【課題】簡易な構成で、スクロール効果を得る、車両用照明装置を提供する【解決手段】直列に通電される第１のエレクトロルミネセントモジュール（２．１）と第２のエレクトロルミネセントモジュー（２．２）を備える。各エレクトロルミネセントモジュールは、第１の直流閾値電圧を有する光源（３）と、第１の直流閾値電圧を超えると光源がゲートオンされる第１のブランチと、素子（５）の端子電圧が光源の第１の直流閾値電圧未満であるように備える第２のブランチと、所定期間のタイミングを図り、所定期間の終わりに第２のブランチにおける電圧が光源の第１の直流閾値電圧よりも大きくなるように第２のブランチの全インピーダンスを変更する、タイミングモジュール（６）を備える第３のブランチとを並列接続で備える。第１のエレクトロルミネセントモジュールにおける所定期間は、第２のエレクトロルミネセントモジュールにおける所定期間よりも短い。【選択図】図１
2018010870.tif 000002
【特許請求の範囲】
【請求項１】
特に自動車両用の特に照明及び／又は信号伝送のための発光装置であって、
直列に通電される少なくとも第１のエレクトロルミネセントモジュール（２．１）及び第２のエレクトロルミネセントモジュール（２．２）を備え、
前記各エレクトロルミネセントモジュールは、
第１の直流閾値電圧を有する光源（３）を備える第１のブランチであって、前記第１の直流閾値電圧を超えると前記光源がゲートオンされる、第１のブランチと、
素子（５）を前記素子の端子における電圧が前記光源の前記第１の直流閾値電圧未満であるように備える第２のブランチと、
所定期間のタイミングを図ることができるとともに前記所定期間の終わりに前記第２のブランチにおける電圧が前記光源の前記第１の直流閾値電圧以上であるように前記第２のブランチの全インピーダンスを変更することができるタイミングモジュール（６）を備える第３のブランチと、
を並列接続で備え、
前記第１のエレクトロルミネセントモジュールにおける前記所定期間が前記第２のエレクトロルミネセントモジュールにおける前記所定期間よりも短い、発光装置。
【請求項２】
前記各光源が少なくとも１つの半導体発光素子を備える請求項１に記載の発光装置。
【請求項３】
前記光源（３）のそれぞれは、基板（１０）上に形成されるサブミリメートル寸法の複数のエレクトロルミネセントユニット（８）を備える請求項２に記載の発光装置。
【請求項４】
前記第２及び第３のブランチが前記基板に接続される請求項３に記載の発光装置。
【請求項５】
前記光源（３）が同じ前記基板（１０）上に形成される請求項３又は４に記載の発光装置。
【請求項６】
前記光源（３）のそれぞれが専用の集積回路に接続される発光ダイオードを備え、エレクトロルミネセントモジュールの前記第２及び第３のブランチは、前記集積回路に設けられ、又は、前記発光ダイオードの基板の真下に半田付けされる集積回路に設けられる請求項２に記載の発光装置。
【請求項７】
前記第１及び第２のエレクトロルミネセントモジュール（２．１；２．２）は、カットアウト期間により間隔があけられる電力供給期間中に周期的に通電され、
前記光モジュールの前記所定期間が全て１つの電力供給期間よりも短い請求項１から６のいずれか一項に記載の発光装置。
【請求項８】
前記エレクトロルミネセントモジュールの前記所定期間が全て前記電力供給期間の少なくとも３分の１である請求項７に記載の発光装置。
【請求項９】
前記第２のブランチが初期設定により閉じられるスイッチ（４）を更に備え、前記タイミングモジュールは、前記スイッチを開くことによって前記第２のブランチの全インピーダンスを変更できる請求項１から８のいずれか一項に記載の発光装置。
【請求項１０】
前記第１のエレクトロルミネセントモジュール（２．１）の前記タイミングモジュール（６）の出力が前記第２のエレクトロルミネセントモジュール（２．２）の前記タイミングモジュールの入力に接続され、前記タイミングモジュールがそれぞれのタイミング期間を適用することができ、前記第１のエレクトロルミネセントモジュールの前記所定期間は、前記第１のエレクトロルミネセントモジュールの前記タイミングモジュールの前記タイミング期間に等しく、前記第２のエレクトロルミネセントモジュールの前記所定期間は、前記第１のエレクトロルミネセントモジュールの前記所定期間と前記第２のエレクトロルミネセントモジュールの前記タイミングモジュールの前記タイミング期間との和に等しい、請求項１から９のいずれか一項に記載の発光装置。
【請求項１１】
前記第１のエレクトロルミネセントモジュール（２．１）の前記タイミングモジュール（６）の出力が前記第２のエレクトロルミネセントモジュール（２．２）の前記タイミングモジュールの入力に接続され、前記タイミングモジュールが同じ所定のタイミング期間を適用することができ、前記第１のエレクトロルミネセントモジュールの前記所定期間が前記所定のタイミング期間に等しく、前記第２のエレクトロルミネセントモジュールの前記所定期間が前記所定のタイミング期間の２倍に等しい、請求項１から９のいずれか一項に記載の発光装置。
【請求項１２】
前記各タイミングモジュール（６）は、少なくとも１つのキャパシタンス（５０４）と、第１の抵抗（５０１）と、比較器（５０６）とを備え、前記比較器は、前記エレクトロルミネセントモジュールが通電されるときに前記キャパシタンスの端子における電圧が前記所定期間の終わりに前記比較器の閾値電圧よりも大きくなるように配置され、前記比較器は、前記キャパシタンスの前記端子における電圧が前記比較器の前記閾値電圧よりも大きいときに前記第２のブランチにおける電圧を変更するようになっている、請求項１から１１のいずれか一項に記載の発光装置。
【請求項１３】
前記各タイミングモジュールは、前記各カットアウト期間中に前記キャパシタンスを放電するように前記キャパシタンス（５０４）と並列を成す第２の抵抗（５０３）を更に備える請求項７及び１２に記載の発光装置。
【請求項１４】
それぞれの前記エレクトロルミネセントモジュールごとに、前記第２のブランチは、
電界効果トランジスタ（４０５）と、
ＮＰＮトランジスタ（４０３）と、
前記エレクトロルミネセントモジュールの入力と前記ＮＰＮトランジスタのコレクタ（４０６）との間に配置される第１のインピーダンス（４０１．１）と、
前記エレクトロルミネセントモジュールの出力と前記ＮＰＮトランジスタのエミッタ（４０７）との間に配置される第２のインピーダンス（４０１．２）と、
前記エレクトロルミネセントモジュールの前記入力とＮＰＮトランジスタのベース（４０８）との間に配置される第３のインピーダンス（４０１．３）と、
前記エレクトロルミネセントモジュールの前記出力と前記電界効果トランジスタのゲート（４１０）との間に配置される第４のインピーダンス（４０１．４）と、
を備え、
前記電界効果トランジスタのソース（４１１）が前記エレクトロルミネセントモジュールの前記出力に接続され、前記電界効果トランジスタのドレイン（４０９）が前記ＮＰＮトランジスタのゲートに接続され、前記タイミングモジュールの出力が前記電界効果トランジスタの前記ゲートに接続され、それにより、
前記所定期間中、前記ＮＰＮトランジスタが前記コレクタと前記エミッタとの間で電流を通過させることができ、それにより、前記第２のブランチの全インピーダンスが前記第１、第２、及び、第３のインピーダンスのみに依存し、前記第１、第２、及び、第３のインピーダンスは、前記第２のブランチにおける電圧が前記光源の前記直流閾値電圧よりも小さくなるようになっており、
前記所定期間の終わりに、前記タイミングモジュールは、前記電界効果トランジスタの前記ゲートに電流を供給することができ、それにより、電流が前記電界効果トランジスタの前記ドレインと前記ソースとの間で流れ、したがって、前記ＮＰＮトランジスタのインピーダンス及び前記第２のブランチにおける全インピーダンスが増大して、前記光源の前記直流閾値電圧を超える、請求項１から１３のいずれか一項に記載の発光装置。
【請求項１５】
直列を成す前記エレクトロルミネセントモジュールに通電できるパイロット（１）を更に備える請求項１から１４のいずれか一項に記載の発光装置。
【発明の詳細な説明】
【技術分野】
【０００１】
本発明は、特に自動車両のための照明及び／又は信号伝送の分野を扱う。
【０００２】
特に、本発明は、自動車両のヘッドライト、車体、又は、車室において用途を見出す。
【背景技術】
【０００３】
自動車両において照明及び信号伝送のために使用される光源は、特に伝統的な光源と比べたサイズ及び自律性の利点のため、発光ダイオードで構成されることが益々増えてきている。  照明モジュール及び／又は信号モジュールにおける発光ダイオードの使用により、市場関係者（自動車メーカー並びに照明装置及び／又は信号装置の設計者）は、特により一層多くのこれらの発光ダイオードを使用して光学的効果を達成するために、これらの装置の設計に対して創造的な手法を加えることができるようになってきた。
【０００４】
これらの光学的効果のうちの１つは、「トレーサ光」としても知られるスクロール効果をもたらすために、一連の発光ダイオードの累進的な点灯にある。そのような効果は、点滅の有無にかかわらず方向の変化を信号で伝えるために、又は、自動車両の車室の照明のパーソナライズ化のために使用される場合がある。
【０００５】
そのようなスクロール効果を達成するための既知の解決策は、機能を果たす発光ダイオードに連続的に通電できるパイロット又はドライバを使用することにあり、各発光ダイオードは専用の給電配線によってドライバに接続される。給電配線以外に接地配線も必要とされる。
【０００６】
ドライバとは、車両の給電ネットワークから来る電力供給を所望の照明機能を達成するのに適した電力供給に変換し、また、場合により、前記所望の光機能を達成するべく光源に適合される前記電力供給を与えるための装置を意味する。
【０００７】
しかしながら、そのような機能を達成するために使用される多数の発光ダイオードを考慮すると、これらのそれぞれのダイオードごとに専用の配線を使用することは、非常にコストがかかり、厄介な解決策である。
【発明の概要】
【発明が解決しようとする課題】
【０００８】
本発明は、状況を改善することを意図する。
【課題を解決するための手段】
【０００９】
本発明の１つの態様は、特に自動車両用の特に照明及び／又は信号伝送のための発光装置であって、
直列に通電される少なくとも第１のエレクトロルミネセントモジュール及び第２のエレクトロルミネセントモジュールを備え、
各エレクトロルミネセントモジュールは、
第１の直流閾値電圧を有する光源を備える第１のブランチであって、第１の直流閾値電圧を超えると光源がゲートオンされる、第１のブランチと、
インピーダンスを備える第２のブランチであって、前記インピーダンスは、エレクトロルミネセントモジュールが通電されるときに前記インピーダンスの端子における電圧が光源の第１の直流閾値電圧よりも小さくなるような値を有する、第２のブランチと、
所定期間のタイミングを図ることができるとともに前記所定期間の終わりに第２のブランチにおける電圧が光源の第１の直流閾値電圧よりも大きくなるように第２のブランチの全インピーダンスを変更することができるタイミングモジュールを備える第３のブランチと、
を並列接続で備える、発光装置に関する。
【００１０】
第１のエレクトロルミネセント光モジュールにおける所定期間は、第２のエレクトロルミネセント光モジュールにおける所定期間よりも短い。
【００１１】
したがって、本発明は、直列に接続される少なくとも２つのエレクトロルミネセントモジュールによってスクロール機能の実現を可能にし、それにより、単一の給電配線で済むため、サイズを減少させることができる。
【００１２】
１つの実施形態によれば、光源は、少なくとも１つの半導体発光素子、特に発光ダイオードを備える。
【００１３】
半導体技術は、発光装置のフットプリントの減少とパーソナライズ化とを可能にする。
【００１４】
１つの実施形態によれば、光源のそれぞれは、基板上に形成されるサブミリメートル寸法の複数のエレクトロルミネセントユニットを備えてもよい。
【００１５】
また、エレクトロルミネセントユニットのそれぞれがスティックであってもよい。
【００１６】
サブミリメートル寸法のスティックを有するエレクトロルミネセント光源を使用することにより、モジュールに通電するドライバを基板の直下に配置することができ、それにより、本発明に係る装置のフットプリントが減少する。
【００１７】
１つの実施形態によれば、第２及び第３のブランチが基板に接続される。したがって、装置のフットプリントが減少される。
【００１８】
１つの実施形態によれば、光源が同じ基板上に形成されてもよい。
【００１９】
そのような解決策は、本発明に係る装置の製造コストを低減できるようにする。
【００２０】
１つの変形形態によれば、光源のそれぞれが専用の集積回路に接続される発光ダイオードを備えてもよく、また、エレクトロルミネセントモジュールの第２及び第３のブランチは、前記集積回路に設けられてもよく、又は、発光ダイオードの基板の真下に半田付けされる集積回路に設けられてもよい。
【００２１】
したがって、本発明は、発光ダイオードタイプの光源に適合する。
【００２２】
本発明の１つの実施形態によれば、第１及び第２のエレクトロルミネセントモジュールは、第１及び第２のエレクトロルミネセントモジュールが通電されないカットアウト期間により間隔があけられる電力供給期間中に周期的に通電されてもよく、また、エレクトロルミネセントモジュールの所定期間が全て１つの電力供給期間より短くてもよい。
【００２３】
これにより、点滅を伴うスクロール効果を実現できる。
【００２４】
また、エレクトロルミネセントモジュールの所定期間が全て電力供給期間の少なくとも３分の１である。
【００２５】
そのような実施形態は、スクロール効果にもかかわらず、照明／信号機能が十分に見えるようにすることを可能にする。
【００２６】
１つの実施形態によれば、第２のブランチが初期設定により閉じられるスイッチを更に備えてもよく、また、タイミングモジュールは、スイッチを開くことによって第２のブランチの全インピーダンスを変更できる。
【００２７】
スイッチを開くことにより、第２のブランチの端子で十分な電圧を確保して、光源がゲートオンされるようにすることができる。
【００２８】
１つの実施形態によれば、第１のエレクトロルミネセントモジュールのタイミングモジュールの出力を第２のエレクトロルミネセントモジュールのタイミングモジュールの入力に接続することができ、タイミングモジュールがそれぞれのタイミング期間を適用することができ、第１のエレクトロルミネセントモジュールの所定期間を第１のエレクトロルミネセントモジュールのタイミングモジュールのタイミング期間に等しくすることができ、また、第２のエレクトロルミネセントモジュールの所定期間は、第１のエレクトロルミネセントモジュールの所定期間と第２のエレクトロルミネセントモジュールのタイミングモジュールのタイミング期間との和に等しくてもよい。
【００２９】
より一般的には、エレクトロルミネセント光モジュールの所定期間は、そのタイミングモジュールのタイミング期間と直列配置を成す先行するエレクトロルミネセント光モジュールの所定期間との和に等しい。
【００３０】
そのような実施形態は、エレクトロルミネセントモジュールのタイミングの連鎖をもたらすことができるようにし、それにより、カスケード効果が生み出される。
【００３１】
変形例として、第１のエレクトロルミネセント光モジュールのタイミングモジュールの出力が第２のエレクトロルミネセント光モジュールのタイミングモジュールの入力に接続されてもよく、タイミングモジュールが場合により同じ所定のタイミング期間を適用することができ、第１のエレクトロルミネセント光モジュールの所定期間を所定のタイミング期間に等しくすることができ、また、第２のエレクトロルミネセント光モジュールの所定期間を所定のタイミング期間の２倍に等しくすることができる。
【００３２】
より一般的には、エレクトロルミネセント光モジュールの所定期間は、タイミング期間と直列配置を成す先行するエレクトロルミネセント光モジュールの所定期間との和に等しい。
【００３３】
そのような実施形態は、先の実施形態の利点に加えて、同じタイミングモジュールを使用できるようにし（同じタイミング期間が適用される）、それにより、本発明に係る照明／信号装置の製造コストを低減できる。
【００３４】
１つの実施形態によれば、各タイミングモジュールは、少なくとも１つのキャパシタンスと、第１の抵抗と、比較器とを備え、比較器は、エレクトロルミネセントモジュールが通電されるときにキャパシタンスの端子における電圧が所定期間の終わりに比較器の閾値電圧よりも大きくなるように配置され、また、比較器は、キャパシタンスの端子における電圧が比較器の閾値電圧よりも大きいときに第２のブランチにおける電圧を変更するようになっている。
【００３５】
したがって、単純な電子回路によってタイミング機能を実現できる。
【００３６】
加えて、また、エレクトロルミネセントモジュールが周期的に通電される場合、各タイミングモジュールは、各カットアウト期間中にキャパシタンスを放電するようにキャパシタンスと並列を成す第２の抵抗を更に備えてもよい。
【００３７】
これにより、点滅効果が可能にされる。
【００３８】
１つの実施形態によれば、それぞれのエレクトロルミネセントモジュールごとに、第２のブランチは、
電界効果トランジスタと、
ＮＰＮトランジスタと、
エレクトロルミネセントモジュールの入力とＮＰＮトランジスタのコレクタとの間に配置される第１のインピーダンスと、
エレクトロルミネセントモジュールの出力とＮＰＮトランジスタのエミッタとの間に配置される第２のインピーダンスと、
エレクトロルミネセントモジュールの入力とＮＰＮトランジスタのベースとの間に配置される第３のインピーダンスと、
エレクトロルミネセントモジュールの出力と電界効果トランジスタのゲートとの間に配置される第４のインピーダンスと、
を備えてもよく、
電界効果トランジスタのソースがエレクトロルミネセントモジュールの出力に接続されてもよく、電界効果トランジスタのドレインがＮＰＮトランジスタのゲートに接続されてもよく、タイミングモジュールの出力が電界効果トランジスタのゲートに接続されてもよく、それにより、
所定期間中、ＮＰＮトランジスタがコレクタとエミッタとの間で電流を通過させることができ、それにより、第２のブランチの全インピーダンスが第１、第２、及び、第３のインピーダンスのみに依存し、第１、第２、及び、第３のインピーダンスは、第２のブランチにおける電圧が光源の直流閾値電圧よりも小さくなるようになっており、
所定期間の終わりに、タイミングモジュールは、電界効果トランジスタのゲートに電流を供給することができ、それにより、電流が電界効果トランジスタのドレインとソースとの間で流れ、したがって、ＮＰＮトランジスタのインピーダンス及び第２のブランチにおける全インピーダンスが増大して、光源の直流閾値電圧を超える。
【００３９】
したがって、より少ないコストで第２のブランチの全インピーダンスを増大させることができる。
【００４０】
１つの実施形態によれば、装置は、直列を成すエレクトロルミネセントモジュールに通電できるパイロットを更に備えてもよい。
【００４１】
パイロットとは、ドライバタイプのモジュールを意味する。したがって、単一のパイロットが単一の電力供給信号を出し、それにより、従来技術の解決策と比べてフットプリント及びコストが低減される。
【００４２】
本発明の他の特徴及び利点は、以下の詳細な説明及び添付図面を精査すると分かる。
【図面の簡単な説明】
【００４３】
【図１】本発明の１つの実施形態に係る装置を示す。
【図２】本発明の１つの実施形態に係る図１の光源の概略斜視図である。
【図３】本発明に係る光源の１つの特定の実施形態の断面図である。
【図４】本発明の１つの実施形態に係るエレクトロルミネセントモジュールの第２のブランチの詳細図を示す。
【図５】本発明の１つの実施形態に係るタイミングモジュールの詳細図である。
【図６】本発明の変形実施形態に係るタイミングモジュールの詳細図である。
【発明を実施するための形態】
【００４４】
図１は、第１のエレクトロルミネセントモジュール２．１と第２のエレクトロルミネセントモジュール２．２とを少なくとも備える直列を成す複数のｎ個のエレクトロルミネセントモジュール２．１，２．２，．．．，２．ｎに通電することができるドライバ又はパイロット１を備える特に自動車両用の特に照明及び／又は信号伝送のための発光装置を示し、ｎは２以上である。
【００４５】
以下に記載されるように、モジュール２．１〜２．ｎは、それらがパイロット１により通電されるときに連続的態様で順次に点灯するように構成される。したがって、モジュール２．１〜２．ｎの空間内の配置は、補助点滅効果の有無にかかわらず自動車両の方向の変化を示すために利用され得るスクロール効果を伴う光機能の実現を可能にする。
【００４６】
点滅効果は、エレクトロルミネセントモジュール２．１〜２．ｎが通電されないカットアウト期間により間隔があけられる電力供給期間においてパイロット１によりモジュール２．１〜２．ｎに周期的に通電することによって得ることができる。
【００４７】
本発明によれば、各エレクトロルミネセントモジュールは、並列を成す以下のブランチを備える。すなわち、
第１の直流閾値電圧を有する光源３を備える第１のブランチであり、第１の直流閾値電圧を超えると、エレクトロルミネセント光源がゲートオンされる。第１の直流閾値電圧は、例えば、３．５Ｖに等しくてもよい。光源３は少なくとも１つの半導体発光素子を備えてもよい。
【００４８】
抵抗タイプの少なくとも１つのインピーダンスを備える電圧源などの素子５を備える第２のブランチであり、インピーダンスは、例えば、エレクトロルミネセント光モジュールが通電されるときに素子の端子における電圧がエレクトロルミネセント光源の第１の直流閾値電圧未満であるような値を有する。例えば、素子５の端子における電圧は、エレクトロルミネセントモジュールが通電されるとき２Ｖに等しくてもよい。
【００４９】
所定期間のタイミングを図ることができるとともに所定期間の終わりに第２のブランチの電圧が光源の閾値電圧よりも大きくなるように第２のブランチの全インピーダンスを変更（増加）することができるタイミングモジュール６を備える第３のブランチ。第２のブランチの全インピーダンスを変更するために、タイミングモジュール６は、例えば、所定期間の終わりに、第２のブランチのスイッチ４を開いてもよい。以下、タイミングモジュール６及びスイッチ４の機能を実現できる電子回路の詳細例について説明する。
【００５０】
エレクトロルミネセントモジュール２．１，２．２及び２．ｎは、累進的な光表示効果（スクロール効果）をもたらすように逓増的所定期間を適用する。この目的のために、第１のエレクトロルミネセントモジュール２．１における所定期間は、第２のエレクトロルミネセントモジュール２．２における所定期間よりも短く、第２のエレクトロルミネセントモジュール２．２における所定期間は、第ｎのエレクトロルミネセントモジュール２．ｎにおける所定期間よりも短い。
【００５１】
このように、スクロール効果は、パイロット１に接続される単一の給電配線と単一の接地配線とを使用することによりもたらされ、それにより、従来技術の解決策と比べてフットプリント及びコストが低減される。
【００５２】
各光源３は、第１の実施形態では、基板上に形成されるサブミリメートル寸法の複数のエレクトロルミネセントスティックを備えてもよい。随意的に、第２及び第３のブランチは、このとき、基板に接続され、例えば、基板の真下に半田付けされてもよい。この場合、光源３は同じ基板上に形成されてもよい。
【００５３】
本発明の第１の実施形態に係る光源３を図２及び図３に関して説明する。
【００５４】
図２を参照すると、光源３は、以下でエレクトロルミネセントスティックと称されるものとするサブミリメートル寸法の複数のエレクトロルミネセントスティック８を備える。これらのエレクトロルミネセントスティック８は同じ基板１０上に形成される。ここでは窒化ガリウム（ＧａＮ）の使用により形成される各エレクトロルミネセントスティックは、ここではシリコンベースで実現される基板から垂直に又は略垂直に延び、本発明の技術的範囲から離れることなく炭化ケイ素などの他の材料を使用できる。一例として、エレクトロルミネセントスティックは、窒化アルミニウム及び窒化ガリウム（ＡｌＮ：ＧａＮ）をベースとする化合物から、又は、アルミニウム、インジウム、及び、ガリウムをベースとする化合物から形成され得る。
【００５５】
図２では、基板１０が下面１２を有し、この下面１２に第１の電極１４が配置され、また、基板１０が上面１６を有し、この上面１６からエレクトロルミネセントスティック８が延びるとともに、上面１６に第２の電極１８が配置される。電極１４，１８は第１のブランチに接続される。
【００５６】
特にここでは上行態様で得られる基板からのエレクトロルミネセントスティックの成長後に、材料の異なる層が上面１６に重ね合わされる。
【００５７】
これらの異なる層の中には、スティックの電力供給を可能にするために、導電材料の少なくとも１つの層が存在してもよい。この層は、光源３のスティックを互いに接続するようにエッチングされる。
【００５８】
サブミリメートル寸法のエレクトロルミネセントスティックは、基板から延びるとともに、図２において分かるように、それぞれが窒化ガリウムのコア１９を備え、このコア１９の周りには、異なる材料の層、ここでは窒化ガリウムとガリウム−インジウム窒化物との層の径方向の重ね合わせにより形成される量子井戸２０と、同様に窒化ガリウムから形成されて量子井戸を取り囲むシェル２１とが配置される。
【００５９】
各スティックは、その高さを規定する縦軸２２に沿って延び、各スティックのベース２３は基板１０の上面１６の平面２４内に配置される。
【００６０】
好適には、光源３のエレクトロルミネセントスティック８は同じ形状を有する。これらのスティックはそれぞれ、端子面２６と、縦軸に沿って延びる外周壁２８とによって境界付けられる。エレクトロルミネセントスティックがドープされて分極を受けると、それに伴って光源３から出る光は主に外周壁２８から放射されるが、光線が端子面２６からも同様に少なくとも少量で出現するように設定してもよいことが理解される。結果として、各スティックは単一の発光ダイオードのように作用し、また、エレクトロルミネセントスティック８の密度は光源３の輝度を高める。
【００６１】
窒化ガリウムのシェルに対応するスティック８の外周壁２８は、基板により形成されるカソードに対して相補的な各スティックのアノードを形成する透明導電酸化物（ＴＣＯ）２９の層によって覆われる。
【００６２】
この外周壁２８は、縦軸２２に沿って基板１０から端子面２６まで延び、エレクトロルミネセントスティック８が形成され始める基板１０の上面１６からの端子面２６の距離は、各スティックの高さを規定する。一例として、エレクトロルミネセントスティック８の高さを１〜１０マイクロメートルにすることができる一方で、特定のエレクトロルミネセントスティックの縦軸２２に対して垂直な端子面の最大横寸法を２マイクロメートル未満にすることができる。また、スティックの表面を、この縦軸２２に対して垂直な断面内で、特定の値の範囲内、特に１．９６〜４平方マイクロメートルの範囲内に規定することもできる。
【００６３】
非限定的な例として与えられるこれらの寸法は、面発光ダイオードを有する光源からエレクトロルミネセントスティックを備える光源を区別できるようにする。しかしながら、以下で説明されるように、本発明の第２の実施形態は、発光ダイオードを有する光源の使用を必要とする。
【００６４】
また、本発明に係る光源の他の特定の寸法付けを行うこともでき、特に、照明面の寸法を例えば最大で８ｍｍ２にすることができる。スティックの密度及び照明面の面積は、特に、複数のエレクトロルミネセントスティックにより得られる輝度が例えば少なくとも６０  Ｃｄ／ｍｍ２となるように計算され得る。しかしながら、変形例として、例えば８ｍｍ２よりも大きい照明面を含む照明面及び任意の適合された寸法を使用してもよい。光源の照明面の最適な寸法は、レンズの焦点、レンズの前面、及び、意図された機能によって決まる。
【００６５】
スティック８を形成するときに、光源ごとに高さを変えて、高さが増大されるときに光源の輝度を高めるようにしてもよいことが理解され得る。スティックの高さが同様に単一の光源３内で変更されてもよく、それにより、スティックの１つのグループが他の光源３のスティックの他のグループと異なる高さを有してもよい。
【００６６】
同様に、エレクトロルミネセントスティック８の形状も、特にスティックの断面及び端子面２６の形状に関して、光源３ごとに変わってもよい。図２には、一般的な円柱形状、特に多角形断面、とりわけここでは六角形断面を有するエレクトロルミネセントスティックが示される。重要なことは、外周壁が例えば多角形又は円形の形状を有するかどうかにかかわらず光を外周壁の全体にわたって放射できることであるのが分かる。
【００６７】
更に、端子面２６は、図２に示されるように端子面が基板１０の上面１６と略平行に延びるように、或いは、図３に示されるようにこの端子面から出現する光の放射方向を増大させるべく端子面が凸形状又はその中心で尖った形状を有するように、略平面形状を有するとともに外周壁に対して垂直であってもよい。
【００６８】
図２では、エレクトロルミネセントスティック８が２次元のマトリクス状に配列される。この配列は、エレクトロルミネセントスティックが千鳥状に配置されるようなものであってもよい。本発明は、特に光源ごとに変わってもよく同じ光源３の異なる領域にしたがって変わってもよいスティックの密度を伴うスティックの他の分布を網羅する。図２は、２つの直接隣接するエレクトロルミネセントスティックを第１の横方向で隔てる距離ｄ１と、２つの直接隣接するエレクトロルミネセントスティックを第２の横方向で隔てる距離ｄ２とを表す。
【００６９】
離間距離ｄ１，ｄ２は、隣接するエレクトロルミネセントスティックの２つの縦軸２２間で測定される。基板１０から突出するエレクトロルミネセントスティック８の数は、特に光源の光束密度を高めるために装置ごとに変化してもよいが、各エレクトロルミネセントスティック８の外周壁２８により放射される光がスティックのマトリクスから出現できるように離間距離ｄ１，ｄ２の一方又は他方を少なくとも１０マイクロメートルに等しくすべきであることが定められる。
【００７０】
エレクトロルミネセント光源３は、図３に示されるように、エレクトロルミネセントスティック８が少なくとも部分的に埋め込まれるポリマー材料の層３０を更に備えてもよい。したがって、層３０は、基板の延在部の全体にわたって延びてもよく、又は、エレクトロルミネセントスティック８の特定のグループの周囲でのみ延びてもよい。特にシリコーンに基づいてもよいポリマー材料は、光線の拡散を妨げることなくエレクトロルミネセントスティック８を保護できるようにする。更に、波長変換の手段、例えばスティックのうちの１つにより放射される光線の少なくとも一部を吸収できるとともにこの吸収された励起光の少なくとも一部を励起光の波長とは異なる波長を有する放射光へ変換できる発光団をポリマー材料のこの層３０に組み込むことができる。
【００７１】
エレクトロルミネセント光源３は、最初に基板へ方向付けられた光線をエレクトロルミネセントスティック８の端子面２６へ偏向させるために、エレクトロルミネセントスティック８間に配置される光反射材料のコーティング３２を更に有してもよい。言い換えると、基板１０の上面１６は、最初に上面１６へ方向付けられた光線を光源３の放出面へ送る反射手段を有してもよい。このようにして、さもなければ失われていたであろう光線を回復する。このコーティング３２は、透明導電酸化物２９の層上のエレクトロルミネセントスティック８間に配置される。
【００７２】
この第１の実施形態は、図１に示される第２及び第３のブランチを基板に直接に接続できるという点において特に有利である。更に、少なくとも２つのエレクトロルミネセント光源３のために同じ基板を使用できる。
【００７３】
第２の実施形態によれば、光源３は、図１に示される第２及び第３のブランチが組み込まれる小型プリント回路（ＰＣＢ）をそれぞれが備える発光ダイオードであってもよい。第１及び第２のブランチも同様にシリコン基板の真下に半田付けされる集積回路に設けることができる。
【００７４】
図４は、本発明の１つの実施形態に係るエレクトロルミネセントモジュールの第２のブランチの詳細な実施形態を示す。
【００７５】
図４には、光源３を備える第１のブランチ及びタイミングモジュール６を備える第３のブランチも同様に示される。
【００７６】
第２のブランチは、ＮＰＮトランジスタ４０３と、ＭＯＳＦＥＴタイプの電界効果トランジスタ４０５と、例えば抵抗であってもよい４つのインピーダンス４０１．１〜４０１．４とを備える。
【００７７】
第１のインピーダンス４０１．１は、エレクトロルミネセント光モジュールの入力とＮＰＮトランジスタ４０３のコレクタ４０６との間に配置される。第２のインピーダンス４０１．２は、エレクトロルミネセントモジュールの出力とＮＰＮトランジスタ４０３のエミッタ４０７との間に配置される。第３のインピーダンス４０１．３は、エレクトロルミネセントモジュールの入力とＮＰＮトランジスタ４０３のベース４０８との間に配置される。第４のインピーダンス４０１．４は、エレクトロルミネセントモジュールの出力とＭＯＳＦＥＴ４０５のゲート４１０との間に配置される。
【００７８】
ＭＯＳＦＥＴ４０５のソース４１１はエレクトロルミネセントモジュールの出力に接続され、また、ＭＯＳＦＥＴ４０５のドレイン４０９はＮＰＮトランジスタ４０３のゲート４０８に接続される。
【００７９】
タイミングモジュール６の出力は、ＭＯＳＦＥＴ４０５のゲートに接続される。タイミングモジュール６は、図１に示されるドライバ１の電力供給期間の開始後の所定期間にわたって信号を全く送信しないとともに、所定期間の終わりに少なくともドライバ１の電力供給期間の終わりまで信号を送信するように構成される。
【００８０】
初期設定により、ＭＯＳＦＥＴ４０５のゲート４１０がタイミングモジュール６により通電されないときには、ドレイン４０９とソース４１１との間で電流が流れず、したがって、第３のインピーダンス４０１．３の出力における電流はＮＰＮトランジスタのベース４０８へ行く。そのため、電流がコレクタ４０６とエミッタ４０７との間で流れ、したがって、第２のブランチのインピーダンス（図１に示される素子又は電圧源５）は、電圧源を形成する抵抗であってもよい３つのインピーダンス４０１．１，４０１．２，４０１．３のみに依存する。３つのインピーダンス４０１．１，４０１．２，４０１．３は、第２のブランチにおける電圧、したがって光源３を備える第１のブランチにおける電圧が光源３の第１の直流閾値電圧よりも小さくなるように選択される。例えば、閾値電圧が３．５Ｖである場合、３つのインピーダンス４０１．１，４０１．２，４０１．３は、エレクトロルミネセントモジュールがドライバ１により通電される所定期間（電力供給期間）中に、第２のブランチの端子における電圧が２Ｖであるように選択され得る。
【００８１】
所定期間の終わりに、タイミングモジュールがＭＯＳＦＥＴ４０５のゲート４１０に信号を供給し、それにより、電流がドレイン４０９とソース４１１との間で流れる。電流がベース４０８で殆ど受けられないため、ＮＰＮトランジスタ４０３のインピーダンスが増大し、それにより、第２のブランチにおける全インピーダンスも増大し、したがって、この場合、ＮＰＮトランジスタ４０３が開スイッチとして作用する。
【００８２】
そのため、第２のブランチの端子における電圧がエレクトロルミネセント光源３の第１の直流閾値電圧を超え、したがって、エレクトロルミネセント光源３は、ゲートオンされた状態になるとともに、ドライバ１の電力供給期間の終わりまでゲートされたままである。
【００８３】
このように、エレクトロルミネセントモジュール２．１〜２．ｎの異なるタイミングモジュール６において逓増的所定期間を適用することにより、単一の給電配線を使用して光スクロール効果をもたらすことができる。
【００８４】
図４に示される第２のブランチの実施形態が単なる例示として与えられるにすぎず、また、本発明がこの実施形態に限定されないことに留意すべきである。実際に、本発明は、インピーダンスを有する任意のブランチと、第２のブランチにおける全インピーダンスを変更する制御可能手段とを網羅し、制御可能手段はタイミングユニット６の出力によって制御される。
【００８５】
図５は、本発明の１つの実施形態に係るタイミングユニット６の詳細図を示す。
【００８６】
タイミングモジュール６は、一方ではエレクトロルミネセントモジュールの入力に接続されるとともに他方ではＲＣ回路５０２の入力に接続される（例えば抵抗タイプの）第１のインピーダンス５０１を備え、ＲＣ回路は、並列を成すキャパシタンス５０４及び（例えば、抵抗タイプの）第２のインピーダンス５０３を備える。
【００８７】
ＲＣ回路の入力は、ドライバ１により直接に通電される比較器５０６のプラス入力に更に接続される。
【００８８】
第３のインピーダンス５０５が、一方ではエレクトロルミネセント光モジュールの入力と他方では比較器５０６のマイナス入力との間に配置される。比較器５０６のマイナス入力は、比較器５０６のマイナス入力の電圧を設定できるようにするツェナーダイオード５０７に更に接続される。
【００８９】
比較器５０６の出力は、図４のＭＯＳＦＥＴ４０５のゲート４１０に接続される（又は、より一般的には、図１のスイッチ４を制御する）。
【００９０】
エレクトロルミネセントモジュールが通電されると、コンデンサ５０４の端子における電圧が所定期間の終わりにツェナーダイオード５０７により課される電圧に達するまでコンデンサ５０４が充電される。したがって、所定期間の終わりに、信号が比較器によって送信され、それより、エレクトロルミネセント光源３がゲートオンされるように第２のブランチにおける全インピーダンスの値が変更される。
【００９１】
この所定期間は、特に第１のインピーダンス５０１に依存する。
【００９２】
したがって、異なる値の第１のインピーダンス５０１を有する各エレクトロルミネセントモジュールを設けることによって、異なる所定期間が得られ、それにより、意図されたスクロール効果を達成することができる。
【００９３】
電力供給期間の終了時にキャパシタンス５０４が第２のインピーダンス５０３のブランチへと放電し、また、新たな電力供給期間が始まるときに同じスクロール効果が再現されてもよく、それより、補助点滅効果が可能になることに留意すべきである。
【００９４】
図６は、本発明の１つの変形例に係るインデックスｍのエレクトロルミネセント光モジュールのタイミングユニット６の詳細図を示す。
【００９５】
タイミングユニット６は、図５の場合と同じ態様で参照される同じ構成要素を備える。
【００９６】
図５の実施形態との相違点は、ＲＣ回路５０２が先行するインデックスｍ−１のエレクトロルミネセントモジュールの比較器５０６の出力４１０．ｎ−１によって通電されるという事実にある。
【００９７】
したがって、エレクトロルミネセントモジュール２．ｍのキャパシタンス５０４は、エレクトロルミネセント光モジュール２．ｍ−１の比較器５０６が出力信号を発するときに充電し始める。したがって、全てのエレクトロルミネセントモジュールにおいて同一である第１のインピーダンス５０１を有することができ、それにより、図５の解決策と比べて、そのようなモジュールの製造が容易であり、その結果、それらのモジュールのコストが低減される。したがって、各タイミングユニット６は同じタイミング期間（その端子における電圧がツェナーダイオード５０７により課されるレベルに達するためにキャパシタンス５０４によって必要とされる時間に対応する）を適用する。そのため、エレクトロルミネセント光モジュール２．ｍの所定期間は、エレクトロルミネセント光モジュール２．ｍ−１のタイミング期間と所定期間との和に等しい。
【００９８】
変形例として、エレクトロルミネセントモジュールは、異なる値のそれぞれのインピーダンス５０１を有する。したがって、各タイミングユニット６はそれ自体のタイミング期間を適用する。したがって、エレクトロルミネセント光モジュール２．ｍの所定期間は、そのタイミングモジュールのタイミング期間とエレクトロルミネセント光モジュール２．ｍ−１の所定期間との和に等しい。
【００９９】
上記の例では、ｍが２とｎの間で変化する。勿論、エレクトロルミネセントモジュール２．１の場合、これが第１のモジュールであるため、ＲＣ回路がドライバ１によって直接に通電される。
【０１００】
好適には、図５の実施形態においてであろうと又は図６の変形例においてであろうと、電力供給期間よりも短い（好ましくは３倍短い）全ての所定期間を有することができる。例えば、最長の所定期間（エレクトロルミネセントモジュール２．ｎの所定期間）が１００ｍｓに等しく、電力供給期間が５００ｍｓに等しく、また、カットアウト期間が５００ｍｓに等しい。
【０１０１】
勿論、本発明は、前述した実施形態に限定されず、単なる一例として提供される。本発明は、本発明との関連で当業者により考慮され得る様々な変更、代替的な実施形態、及び、他の変形、並びに、特に前述した異なる実施形態の全ての組合せを包含する。
【図１】
2018010870.tif 000003
【図２】
2018010870.tif 000004
【図３】
2018010870.tif 000005
【図４】
2018010870.tif 000006
【図５】
2018010870.tif 000007
【図６】
2018010870.tif 000008
【外国語明細書】
2018010870000001.pdf